(57)【要約】【課題】記録媒体の容量を有効に使用することができる映像記録再生装置を提供すること。【解決手段】画像データや音声データ等の映像データを記録するデータ記憶部と、前記映像データを他の機器や記録媒体へ転送済みか否かを示す転送済みフラグを含むデータ記憶部の管理情報が記録されている管理情報記憶部と、前記データ記憶部の残量を検出する残量検出部と、前記残量検出部で残量が所定量以下になったときに前記管理情報記憶部にある転送済みフラグを検出する転送済みフラグ検出部とを有し、映像データ記録中に、前記データ記憶部の残量が所定量以下になった場合、前記データ記憶部内の転送済みフラグが転送済みとなっているデータが記録された領域に記録することを特徴とする映像記録再生装置。【選択図】図３
2006221758.tif 000002
【特許請求の範囲】
【請求項１】
画像データや音声データ等の映像データを他の記録再生装置に転送可能な映像記録再生装置であって、前記映像データには転送済みか否かを示す転送済みフラグを有し、記録中に、映像記録再生装置の記録媒体の容量が、或る所定量以下になった場合、前記転送済みフラグが転送済みとなっているデータの記録された領域に記録することを特徴とする映像記録再生装置。
【請求項２】
前記映像データは、当該映像データの消去を禁止するか否かを示すデータプロテクトフラグを有し、前記転送済みフラグによらず、データプロテクトフラグが消去禁止となっている映像データの記録された領域に記録しないことを特徴とする請求項１記載の映像記録再生装置。
【請求項３】
画像データや音声データ等の映像データを記録するデータ記憶部と、前記映像データを他の機器や記録媒体へ転送済みか否かを示す転送済みフラグを含むデータ記憶部の管理情報が記録されている管理情報記憶部と、前記データ記憶部の残量を検出する残量検出部と、前記残量検出部で残量が所定量以下になったときに前記管理情報記憶部にある転送済みフラグを検出する転送済みフラグ検出部とを有し、映像データ記録中に、前記データ記憶部の残量が所定量以下になった場合、前記データ記憶部内の転送済みフラグが転送済みとなっているデータが記録された領域に記録することを特徴とする映像記録再生装置。
【請求項４】
前記管理情報記憶部の管理情報に、当該映像データの消去を禁止するか否かを示すデータプロテクトフラグを有し、前記転送済みフラグによらず、データプロテクトフラグが消去禁止となっている映像データの記録された領域に記録しないことを特徴とする請求項３記載の映像記録再生装置。
【発明の詳細な説明】
【技術分野】
【０００１】
本発明は、画像データや音声データ等の映像データを記録再生する映像記録再生装置に関する。
【背景技術】
【０００２】
従来、映像記録再生装置においては、画像データや音声データ等の記録したい映像データをデータ記憶部に記録し、記録したデータを保存しておきたい場合には、映像データを他の機器や他のメディアに転送して保存していた。映像データ記録中にデータ記憶部の記録可能な領域が無くなった場合には、記録動作を中断して記録済みデータを消去して、新たに記録できる領域を確保する必要があった。
【０００３】
【特許文献１】特開２００１−１４８８２５号公報
【発明の開示】
【発明が解決しようとする課題】
【０００４】
しかしながら、消去する際に、映像記録再生装置のデータ記憶部にある映像データが、他の機器へ転送済みのデータと転送していないデータがあり、データ記録中にデータ記憶部の記録可能な領域が無くなった場合に、記録動作を中断する必要があると共に、どのデータを消去して良いのかどうかが判断できない、という課題があった。
【０００５】
従って、本発明は、記録媒体の容量を有効に使用することができる映像記録再生装置を提供することを目的とする。
【課題を解決するための手段】
【０００６】
そこで、本発明による映像記録再生装置では、データを転送済みか否かを示す転送済みフラグを設け、データ記録中に、記録媒体の記録可能な容量が所定量以下になった場合、転送済みフラグが転送済みとなっていれば、転送済みのデータが記録された領域にデータを記録し、記録動作を継続する手段と、データの消去を禁止するか否かを示すデータプロテクトフラグを設け、記録媒体に記録されているデータが転送済みであっても、プロテクトフラグが消去禁止となっている場合には、データを記録しない手段とを有する。
【発明の効果】
【０００７】
本発明によれば、記録動作中、データ記憶部の記録可能な領域が無くなったときに、記録中のデータを他の機器や記録媒体へ転送済みのデータが記録された領域に記録することで、記録媒体の容量を有効に使用することができる。
【発明を実施するための最良の形態】
【０００８】
以下、本発明の実施の形態における映像記録再生装置について、図面を参照しながら説明する。
【０００９】
図１は本発明による一実施形態としての映像記録再生装置の概要である。
【００１０】
映像記録再生装置１０１は、内部に画像データや音声データ等の映像データを記録可能な記録媒体１０２を持ち、他の記録再生装置１０３に前記映像データを転送可能な映像記録再生装置である。
【００１１】
図２は本発明の一実施形態として用いる記録媒体１０２に記録されている映像データの概要を示す図である。
【００１２】
前記映像データ２０１は、映像データの管理情報を記録する管理情報部２０２と映像データの記録情報を記録する記録情報部２０３とで構成されている。管理情報部２０２は、他の記録再生装置へ転送したか否かを示す転送済みフラグ２０４と映像データを保護するためのデータプロテクトフラグ２０５を含んだデータの管理情報を含んでいる。次に、一実施形態としての映像記録再生装置を詳しく説明する。
【００１３】
図３は一実施形態としての映像記録再生装置のハードウェア構成を示すブロック図である。
【００１４】
音声入力部３０１から入力された音声信号はＡ／Ｄ変換器３０３でＡ／Ｄ変換され、ディジタル音声信号が音声データ符号化部３０５に入力される。又、画像入力部３０２から入力された画像信号は、Ａ／Ｄ変換器３０４でＡ／Ｄ変換され、ディジタル画像信号が画像データ符号化部３０６に入力される。
【００１５】
音声データ符号化部３０５、画像データ符号化部３０６で高能率符号化された音声データ、画像データは、それぞれ多重化部３０７で多重化され、バッファメモリ３２０を介してデータ記憶部３０８へ記録される。データ記憶部３０８は、ランダムアクセスが可能な大容量デバイスであり、ここでは具体例としてデータ記憶部３０８をハードディスクドライブ（ＨＤＤ）とする。データ記憶部３０８内には、前記データが記録された日時や、データを他の機器や記録媒体へ転送したことを示す転送済みフラグや、前記データがデータ記憶部のどの領域に記録されているかを管理する管理情報が記録されている管理情報記憶部３０９を有する。管理情報記憶部３０９は、データ記憶部３０８内ではなく、別途設けても良い。
【００１６】
再生時においては、データ記憶部３０８から読み出されたデータは、バッファメモリ３２０を介して分離部に転送される。転送された多重化データは、分離部３１０にて画像データと音声データとに分離される。これらのデータは、それぞれ音声データ復号化部３１１、画像データ復号化部３１２にて復号化される。
【００１７】
復号化された音声データは、Ｄ／Ａ変換器３１３にてＤ／Ａ変換された後、音声出力部３１５から音声信号が出力される。又、復号化された画像データは、Ｄ／Ａ変換器３１４にてＤ／Ａ変換された後、画像出力部３１６から画像信号が出力される。
【００１８】
次に、映像データの管理情報部にあるデータの管理情報の一例を図４に示す。
【００１９】
４０１は前記データ記憶部３０８へ記録したデータを他の機器や記録媒体へ転送したか否かを示す転送済みフラグであり、これによりデータを転送したことを認識する。データ転送前はフラグを未転送にしておき、データ転送後は、フラグを転送済みとする。４０２は、前記データ記憶部３０８へ記録したデータを保護するためのデータプロテクトフラグであり、これによりデータをプロテクトする。記録した時点ではフラグを消去可能としておき、上書きしないように残しておきたいデータは、フラグを消去禁止とする。４０３はリザーブであり、“００００００ｈ”が記録される。４０４はファイルネームを表し、４０５は撮影日時を示す。４０６は記録媒体におけるデータの先頭アドレスを示し、４０７は記録媒体におけるデータのサイズを示す。即ち、４０６，４０７で記録媒体内のデータ領域を示す。
【００２０】
次に、映像記録再生装置の管理情報記憶部にある空き領域情報の一例を図５に示す。
【００２１】
空き領域情報は、記録媒体のセクタが使用されているか否かを示すスペースフラグを有し、全てのセクタに対してフラグを設けている。記録媒体のフォーマット時は、スペースフラグは全て未使用となっている。データがデータ記憶部３０８に記録されると、データ記憶部の使用したセクタに対して、空き領域情報のセクタが使用されているか否かを示すスペースフラグを使用にする。セクタが使用されているか否かを示すスペースフラグをＰＵが参照することで、記録媒体に記録可能な領域や容量を検出する。
【００２２】
又、空き領域情報のスペースフラグを参照し、検出した空き容量を別途管理情報記憶領域のエリアに記録しても良い。記録した空き容量を参照することで、セクタが使用されているか否かを示すスペースフラグを参照する必要がなく、記録媒体の空き容量を知ることができる。
【００２３】
次に、映像記録再生装置のデータ再生時の動作について図６のフローチャートを用いて説明する。
【００２４】
データ再生時には、Ｓ６０１でユーザが再生すべきデータを選択し、Ｓ６０２で選択したデータを管理情報に基づいてデータ記憶部３０８から再生し、再生したデータは、Ｓ６０３で音声出力部や画像出力部に送信する。これにより、画像音声出力部や画像出力部からデータが出力される。選択したデータの全てが出力されると、再生動作を終了する。
【００２５】
次に、映像記録再生装置のデータ消去時の動作について図７のフローチャートを用いて説明する。
【００２６】
データ消去時には、Ｓ７０１でユーザが消去すべきデータを選択し、Ｓ７０２で選択したデータが記録された領域を記録可能領域として登録するように、管理情報と空き領域情報を更新する。管理情報と空き領域情報を更新後、消去動作を終了する。
【００２７】
次に、映像記録再生装置のデータ記録時の動作について図８のフローチャートを用いて説明する。
【００２８】
映像記録再生装置においては、Ｓ８０１でＰＵが図５に示す空き領域情報にあるセクタが使用されているか否かを示すスペースフラグを参照して、データ記憶部３０８に記録可能な容量を検出すると共に、データ記憶部３０８に記録可能な領域を管理情報から検索し、Ｓ８０２でデータ記憶部３０８に３２ｋＢｙｔｅ単位で記録する。
【００２９】
Ｓ８０３では、ＣＰＵがＳ８０１で検出した記録動作前の記録可能な容量からＳ８０２で記録したデータ量を減算することで、データ記憶部３０８に記録可能な残量を検出し、データ記憶部３０８に記録可能な残量が所定量以下か否かを判定する。判定の結果、残量が所定量以上の場合には、Ｓ８０４で記録動作が終了したか否かを判定する。記録動作が終了した場合は、Ｓ８０５でデータ記憶部３０８へ記録した情報を管理情報に更新して終了する。Ｓ８０３でデータ記憶部３０８に記録可能な残量が所定量以下か否かを判定し、データ記憶部３０８に記録可能な残量が所定量以下の場合には、Ｓ８０６でデータ記憶部３０８に記録済みのデータを選択し、Ｓ８０７で当該映像データを他の機器や記録媒体に転送済みか否かを管理情報記憶部３０９の転送済みフラグを見て判定する。
【００３０】
Ｓ８０８では、映像データの消去を禁止するか否かを示すデータプロテクトフラグが消去禁止となっているか否かを管理情報記憶部３０９のデータプロテクトフラグを見て判定する。Ｓ８０９で、映像データの記録された領域を記録可能な領域として管理情報記憶部３０９に登録すると共に、該当するセクタに対して、空き領域情報のセクタが使用されているか否かを示すスペースフラグを未使用にする。
【００３１】
Ｓ８１０では、データ記憶部３０８の未選択のデータが残っている場合には、Ｓ８０６に戻り、未選択のデータを選択する。Ｓ８１１では、ＣＰＵが図５に示す空き領域情報にあるセクタが使用されているか否かを示すスペースフラグを参照して、データ記憶部３０８の記録可能な領域を計算する。Ｓ８１２にて、データ記憶部３０８に記録可能な残量を表示手段に表示し、Ｓ８０４の処理に移行する。但し、図５のフローチャートに従う手順は、映像記録再生装置のＣＰＵにより実行される。
【図面の簡単な説明】
【００３２】
【図１】本発明の実施形態で用いる映像記録再生装置の概要を示す図である。
【図２】本発明の実施形態で用いる映像記録再生装置の管理情報の概要を示す図である。
【図３】本発明の実施形態で用いる映像記録再生装置の一例を示す図である。
【図４】本発明の実施形態で用いる映像記録再生装置の管理情報の一例を示す図である。
【図５】本発明の実施形態で用いる映像記録再生装置の空き領域情報の一例を示す図である。
【図６】本発明の実施形態の映像記録再生装置におけるデータ再生時の動作を示すフローチャートである。
【図７】本発明の実施形態に係るの映像記録再生装置におけるデータ消去時の動作を示すフローチャートである。
【図８】本発明の実施形態に係るの映像記録再生装置におけるデータ記録時の動作を示すフローチャートである。
【符号の説明】
【００３３】
１０１  映像記録再生装置
１０２  記録媒体
１０３  記録再生装置
２０１  映像データ
２０２  管理情報部
２０３  記録情報部
２０４  転送済みフラグ
２０５  データプロテクトフラグ
３０１  音声入力部
３０２  画像入力部
３０３  Ａ／Ｄ変換器
３０４  Ａ／Ｄ変換器
３０５  音声データ符号化部
３０６  画像データ符号化部
３０７  多重化部
３０８  データ記憶部
３０９  管理情報記憶部
３１０  分離部
３１１  音声データ復号化部
３１２  画像データ復号化部
３１３  Ｄ／Ａ変換器
３１４  Ｄ／Ａ変換器
３１５  音声出力部
３１６  画像出力部
３１７  システム制御部
３１８  ＣＰＵ
３１９  メモリ
３２０  バッファメモリ
３２１  残量検出部
３２２  コピー済みフラグ検出部
【図１】
2006221758.tif 000003
【図２】
2006221758.tif 000004
【図３】
2006221758.tif 000005
【図４】
2006221758.tif 000006
【図５】
2006221758.tif 000007
【図６】
2006221758.tif 000008
【図７】
2006221758.tif 000009
【図８】
2006221758.tif 000010